(57)【特許請求の範囲】
【請求項１】
１つまたは複数のＣＭ素材、ＣＭ素材毎に付された固有のＣＭコード及びＣＭメタデータが記録されているファイルから、前記ＣＭ素材を抽出し、前記抽出されたＣＭ素材を入稿するための装置であって、
前記ファイルを受け取る受取部と、
前記ＣＭメタデータに含まれるＣＭコードに基づいて、前記ファイルから前記ＣＭコードに対応するＣＭ素材を取得する取得部と、
前記取得部により取得されたＣＭ素材のクレジットを生成する生成部と、
前記クレジットの情報と前記ＣＭメタデータの情報とを比較する比較部と、
前記比較部の比較結果により一致する所定の情報がある場合に、前記ＣＭメタデータに含まれる情報に基づいて前記ＣＭ素材の前記ファイルにおける開始点を特定する特定部と、
前記特定された開始点に基づいて、前記ファイルから、前記ＣＭ素材を抽出する抽出部と
を備える、ＣＭ素材入稿装置。
【請求項２】
１つまたは複数のＣＭ素材、ＣＭ素材毎に付された固有のＣＭコード及びＣＭメタデータが記録されているファイルから、前記ＣＭ素材を抽出し、前記抽出されたＣＭ素材を入稿するためのシステムであって、
前記ファイルを受け取る端末と、
前記端末によって受け取られたファイルから、入稿用のＣＭ素材を抽出するＣＭ素材入稿装置とを備え、
前記ＣＭ素材入稿装置は、
前記ＣＭメタデータに含まれるＣＭコードに基づいて、前記ファイルから前記ＣＭコードに対応するＣＭ素材を取得する取得部と、
前記取得部により取得されたＣＭ素材のクレジットを生成する生成部と、
前記クレジットの情報と前記ＣＭメタデータの情報とを比較する比較部と、
前記比較部の比較結果により一致する所定の情報がある場合に、前記ＣＭメタデータに含まれる情報に基づいて前記ＣＭ素材の前記ファイルにおける開始点を特定する特定部と、
前記特定された開始点に基づいて、前記ファイルから、前記ＣＭ素材を抽出する抽出部と
を有する、ＣＭ素材入稿システム。
【請求項３】
１つまたは複数のＣＭ素材、ＣＭ素材毎に付された固有のＣＭコード及びＣＭメタデータが記録されているファイルから、前記ＣＭ素材を抽出し、前記抽出されたＣＭ素材を入稿するための装置によって実行される方法であって、
前記ファイルを受け取り、
前記ＣＭメタデータに含まれるＣＭコードに基づいて、前記ファイルから前記ＣＭコードに対応するＣＭ素材を取得し、
取得されたＣＭ素材のクレジットを生成し、
前記クレジットの情報と前記ＣＭメタデータの情報とを比較し、
比較結果により一致する所定の情報がある場合に、前記ＣＭメタデータに含まれる情報に基づいて前記ＣＭ素材の前記ファイルにおける開始点を特定し、
前記特定された開始点に基づいて、前記ファイルから、前記ＣＭ素材を抽出する、ＣＭ素材入稿方法。
【発明の詳細な説明】
【技術分野】
【０００１】
本発明の実施形態は、ＣＭ（Commercial Message）素材を放送局に入稿するための装置、システム、および方法に関する。
【背景技術】
【０００２】
従来、放送用のＣＭ素材は、ＴＶ局等の放送局にＶＨＳ等のテープの形態で納入されていた。そして、放送局では、納入されたテープをオペレータがＶＴＲデッキで再生し、要求どおりのＣＭ素材が納入されたか否かを確認していた。
【０００３】
しかしながら、このような納入方式では、テープの記録領域の一部もしくは全体に記録されたＣＭ素材を、人間の目視によって抽出しながら確認しなければならず、オペレータの負荷が大きい。また、ＶＴＲデッキは高額であるために、このような作業は、限られた施設でしか実行することができない。
【０００４】
これらの事情を鑑み、２０１１年、民放連の「テレビＣＭ素材搬入基準」に、３つのメディア（以降、これらを「Ａ媒体」「Ｂ媒体」「Ｃ媒体」と称する）が追加された。これによって、ＣＭ素材は、従来のテープの形態ではなく、ＭＸＦ（Material Exchange Format）という放送業界の規格に準拠したファイル（以降、「ＭＸＦファイル」と称する）として、放送局へ納入することが可能となった。
【０００５】
以来、ＣＭ素材は、テープの形態ではなく、ＭＸＦファイルの形態として、ネットワークを介して、あるいは、メディアを搬入することによって、放送局へ納入される形態に代わってきている。
【０００６】
これによって、放送局側では、パソコンさえあればＣＭ素材をノンリニアに確認することが可能となり、作業効率が大幅に向上することとなった。
【先行技術文献】
【特許文献】
【０００７】
【特許文献１】特開２０１１−１８１９８２号公報
【非特許文献】
【０００８】
【非特許文献１】http://www.j-ba.or.jp/category/references/jba100805
【非特許文献２】http://www.jaaa.ne.jp/
【非特許文献３】http://www.ccc.or.jp/10cmc.html
【発明の概要】
【発明が解決しようとする課題】
【０００９】
このように、ＣＭ素材をＭＸＦファイルとして取り扱うことは、放送局側にとって大きなメリットがある。
【００１０】
しかしながら、現状のＣＭ素材入稿装置は、ＭＸＦファイルとしてのＣＭ素材を入稿するために改善の余地がまだ残されている。
【００１１】
本発明が解決しようとする課題は、ＭＸＦファイルに記録されたＣＭ素材の効率的な入稿処理のために適した装置、システム、および方法を提供することである。
【課題を解決するための手段】
【００１２】
実施形態のＣＭ素材入稿装置は、１つまたは複数のＣＭ素材、ＣＭ素材毎に付された固有のＣＭコード及びＣＭメタデータが記録されているファイルから、前記ＣＭ素材を抽出し、前記抽出されたＣＭ素材を入稿するための装置であって、受取部と、取得部、生成部、比較部と、特定部と、抽出部とを備える。受取部は前記ファイルを受け取る。取得部は、前記ＣＭメタデータに含まれるＣＭコードに基づいて、前記ファイルから前記ＣＭコードに対応するＣＭ素材を取得する。生成部は、前記取得部により取得されたＣＭ素材のクレジットを生成する。比較部は、前記クレジットの情報と前記ＣＭメタデータの情報とを比較する。特定部は、前記比較部の比較結果により一致する所定の情報がある場合に、前記ＣＭメタデータに含まれる情報に基づいて前記ＣＭ素材の前記ファイルにおける開始点を特定する。抽出部は、前記特定された開始点に基づいて、前記ファイルから、前記ＣＭ素材を抽出する。
【図面の簡単な説明】
【００１３】
【図１】第１の実施形態のＣＭ素材入稿方法が適用されたＣＭ素材入稿システムの構成例を示す機能ブロック図である。
【図２】ＣＭ素材入稿装置の構成例を示す図である。
【図３】ＣＭメタデータの内容が表示された入稿端末の表示画面の表示例である。
【図４】異常があるＣＭメタデータの内容が表示された入稿端末の表示画面の表示例である。
【図５】クレジットの内容が表示された入稿端末の表示画面の表示例である。
【図６】複数のＣＭ素材が記録されているＭＸＦファイルの一例を示す構成図である。
【図７】ＣＭ素材の切り出し範囲を説明するための概念図である。
【図８】第１の実施形態のＣＭ素材入稿方法が適用されたＣＭ素材入稿システムの動作例を示すフローチャート（その１）である。
【図９】第１の実施形態のＣＭ素材入稿方法が適用されたＣＭ素材入稿システムの動作例を示すフローチャート（その２）である。
【図１０】第１の実施形態のＣＭ素材入稿方法が適用されたＣＭ素材入稿システムの動作例を示すフローチャート（その３）である。
【図１１】番宣用ＣＭ素材用のＣＭメタデータの内容が表示された入稿端末の表示画面の表示例である。
【図１２】第２の実施形態のＣＭ素材入稿方法が適用されたＣＭ素材入稿システムの動作例を示すフローチャート（その１）である。
【図１３】第２の実施形態のＣＭ素材入稿方法が適用されたＣＭ素材入稿システムの動作例を示すフローチャート（その２）である。
【発明を実施するための形態】
【００１４】
以下に、本発明の各実施形態のＣＭ素材入稿システムを、図面を参照して説明する。
【００１５】
（第１の実施形態）
図１に示すように、本発明の第１の実施形態のＣＭ素材入稿方法が適用されたＣＭ素材入稿システム１０は、放送局システム２０内に設けられており、ＣＭ素材入稿装置１２と、ＣＭ素材入稿装置１２に接続された１つまたは複数の入稿端末１４（＃１），１４（＃２），・・・・１４（＃ｎ）とを備える。
【００１６】
ＣＭ素材入稿装置１２はさらに、図２に示すように、エラーホルダ１２ａ、入稿ホルダ１２ｂ、受取部１２ｃ、表示制御部１２ｄ、確認部１２ｅ、ＣＭ素材取得部１２ｆ、クレジット生成部１２ｇ、比較部１２ｈ、特定部１２ｉ、抽出部１２ｊ、削除部１２ｋ、およびチェック部１２ｍを備える。
【００１７】
放送局システム２０には、ＣＭ素材入稿システム１０の他に、受信サーバ２２、営業放送システム２４、ＣＭバンクシステム２６、およびＣＭバンク２８が設けられている。なお、図１では、簡略のために、ＣＭバンク２８を１つだけ図示しているが、冗長性の確保等のために複数設けるようにしても良い。
【００１８】
受信サーバ２２および営業放送システム２４は、インターネット等の通信ネットワーク３０を介して、放送局とは外部の組織である例えば日本広告業協会（ＪＡＡＡ）などのＣＭ管理システム４０に接続されている。
【００１９】
なお、通信ネットワーク３０には、イーサネット（登録商標）等のＬＡＮ、あるいは公衆回線や専用回線を介して複数のＬＡＮが接続されるＷＡＮ等が接続され得る。ＬＡＮの場合には、必要に応じてルータを介した多数のサブネットから構成される。また、ＷＡＮの場合には、公衆回線に接続するためのファイアウォール等を適宜備えているが、ここではその図示及び詳細説明を省略する。
【００２０】
受信サーバ２２は、ＣＭ管理システム４０から送信された、１つまたは複数のＣＭ素材を含むＭＸＦファイルを、通信ネットワーク３０を介して受信し、ＣＭ素材入稿装置１２を介して取り込む。ＭＸＦファイルに記録されているＣＭ素材には、ＣＭ素材毎に固有のＣＭコードおよびＣＭメタデータが付されている。
【００２１】
ＣＭコードは、非特許文献３に詳述されているように、１０桁の英数字からなり、先頭からの４桁（例えば、「９ＡＢ８」）が共通コード管理センターによって発番される広告事業者コードであり、残りの６桁（例えば、「ＣＤＥ７６５」）が広告事業者によって発番される素材コードとなっている。先頭からの４桁も、残りの６桁も、数字のみ、アルファベット大文字のみ、または数字とアルファベット大文字の組み合せ（何れも半角）によって構成されることができる。
【００２２】
また、ＣＭメタデータは、ＣＭ素材の内容に関する情報およびこのＣＭ素材のＣＭコードを含んでいる。
【００２３】
一方、入稿端末１４は、ＣＭ素材入稿装置１２へ入力されるＭＸＦファイルをメディアの形態で受け付けるものである。このために、入稿端末１４は、１つまたは複数のＣＭ素材を記録しているＭＸＦファイルが記録されたＡ媒体５０、Ｂ媒体５２、またはＣ媒体５４を読み取るためのドライブを備えている。入稿端末１４はこれらドライブを用いてＭＸＦファイルを読み取り、ＣＭ素材入稿装置１２に取り込む。なお、ＭＸＦファイルに含まれるＣＭ素材にも、前述したような１０桁からなる固有のＣＭコードおよびＣＭメタデータが付されている。
【００２４】
このようにして、ＣＭ素材入稿装置１２は、オンラインで受信サーバ２２に送られたＭＸＦファイルや、メディアの形態で入稿端末１４に入力されたＭＸＦファイルを、受取部１２ｃにて受け取る。
【００２５】
ＣＭ素材入稿装置１２の表示制御部１２ｄは、受取部１３ａが受け取ったＣＭメタデータの内容を、入稿端末１４の表示画面１４ａに表示する。図３は、ＣＭメタデータの内容が表示された入稿端末の表示画面１４ａの表示例である。図３に示されるように、ＣＭメタデータは、素材広告主名、ＣＭ素材名、ＣＭコード、秒数、音声種別、制作広告会社、制作会社等を含んでいる。
【００２６】
ＣＭ素材入稿装置１２は、確認部１２ｅにおいて、ＣＭメタデータに含まれるＣＭコードをキー情報として用い、キー情報に対応するＣＭ素材が、真正なものであるか否かを確認する。
【００２７】
すなわち、ＭＸＦファイルの中に、「ＣＭ素材搬入基準」（非特許文献１参照）で定められた必須のデータ項目（例えば、Ｃｌｉｐホルダや、Ｇｅｎｅｒａｌホルダ）が含まれていることをチェックする。さらに、各データ項目のフォーマットが正しいか否かをチェックする。
【００２８】
また、確認部１２ｅは、ＣＭメタデータの中に、「ＣＭ素材搬入基準」で定められた必須のデータ項目が含まれていることをチェックする。さらに、各データ項目のフォーマットが正しいか否かをチェックする。
【００２９】
これらチェックの何れかに問題がある場合には、表示制御部１２ｄが、入稿端末１４の表示画面１４ａに対して、例えば、データ項目ラベルを赤でハイライト表示させるとともに、正しいフォーマットをツールチップで表示させる。これによって、入稿端末１４のオペレータは、ＭＸＦファイルおよび／またはＣＭメタデータに問題や不備があることを把握できるようになる。
【００３０】
図４は、ＣＭメタデータに不備がある場合に、入稿端末１４から表示される表示画面の表示例を示す図である。図４の例では、ＣＭメタデータに、「ＣＭ素材搬入基準」で定められた必須のデータ項目であるスタートタイムコード（スタートＴＣ）というメタ情報が含まれていないので、「スタートＴＣ」が「必須項目」であることが指摘されている。これによって、オペレータは、このＣＭメタデータに含まれるメタ情報に不備があるので、正常なＣＭメタデータを入手する必要があることを認識する。
【００３１】
一方、これらチェックで問題が無いことが判れば、ＣＭ素材入稿装置１２のＣＭ素材取得部１２ｆは、ＣＭメタデータに含まれるＣＭコードをキー情報として、ＭＸＦファイルから、対応するＣＭ素材を取得する。さらに、ＣＭ素材入稿装置１２のクレジット生成部１２ｇは、取得されたＣＭ素材のクレジットを生成する。
【００３２】
クレジットとは、例えば、広告主や、ＣＭ素材名、ＣＭコード、秒数、音声種別、商品名、制作広告会社名、制作会社名、特記事項、録音日等からなる情報の集合である。このようなクレジットが生成されると、表示制御部１２ｄは、入稿端末１４の表示画面１４ａからその内容を表示させる。図５は、この一例を示す図である。
【００３３】
ＣＭ素材入稿装置１２の比較部１２ｈは、図５に示されるような情報の集合であるクレジットを、ＣＭメタデータのメタ情報と比較する。そして、クレジットとＣＭメタデータのメタ情報が一致しているか否かを判定する。
【００３４】
例えば、図５に示されるような情報を有するクレジットと、図３に示されるようなメタ情報を有するＣＭメタデータとを比較すると、クレジットとＣＭメタデータのメタ情報は、ＣＭコードのみならず、素材広告主名、ＣＭ素材名、秒数、音声種別、制作広告会社、制作会社といった各項目のデータがすべて一致している。このような場合、比較部１２ｈは、取得されたＣＭ素材が、ＣＭメタデータに対応した真正なものであると判定する。なお、このような一致性の確認は、クレジットおよびＣＭメタデータについて、各項目のデータを、テキスト化して比較することによって、実施する。
【００３５】
このようにして比較部１２ｈが、クレジットとＣＭメタデータのメタ情報の一致を確認すると、特定部１２ｉと抽出部１２ｊとが協働することにより、ＭＸＦファイルから、このＣＭ素材を切り出すことによって、このＣＭ素材を抽出する。この切り出し処理を、図６および図７を用いて説明する。
【００３６】
図６に示すように、１つのＭＸＦファイル１００には、１つまたは複数のＣＭ素材（例えば、ＣＭ素材１０２，１０４，１０６）が記録されている。切り出し処理では、特定部１２ｉが、ＣＭメタデータのスタートＴＣ（図３参照）を参照する。スタートＴＣは、図７に示すように、このＣＭ素材（例えば、ＣＭ素材１０２）のＭＸＦファイル１００における開始点Ａに相当する。したがって、特定部１２ｉは、ＣＭメタデータのスタートＴＣを参照することによって、ＣＭ素材（例えば、ＣＭ素材１０２）のＭＸＦファイル１００における開始点Ａを把握する。
【００３７】
次に、抽出部１２ｊが、図７に示すように、ＭＸＦファイル１００から、開始点Ａの１５フレーム（１５Ｆ）前から、ＣＭ素材１０２の終了点Ｂの１５Ｆ後までの範囲を切り出す。開始点Ａより前の１５Ｆは、リーダとして、終了点Ｂより後の１５Ｆはトレーラとして用いる。なお、１Ｆは、１／３０秒に相当するので、１５Ｆは、０．５秒の長さである。抽出部１２ｊはさらに、開始点Ａの１５秒前から３秒前までの間に、クレジットを表示する。
【００３８】
これによって、ＣＭ素材１０２の切り出し処理が完了し、切り出されたＣＭ素材１０２を、入稿ホルダ１２ｂが格納する。入稿端末１４は、入稿ホルダ１２ｂに格納されたＣＭ素材の一覧を、表示画面１４ａから表示する。
【００３９】
一方、クレジットとＣＭメタデータのメタ情報とが一致していない場合には、比較部１２ｈは、ＭＸＦファイルが異常であると判定し、ＭＸＦファイルをエラーホルダ１２ａへ移動するとともに、表示制御部１２ｄが、入稿端末１４からの画面表示や音声出力等によって、オペレータに対してアラーム通知する。なお、このアラーム通知とともに、ＣＭコードと、エラー原因とを、入稿端末１４の表示画面１４ａから付加的に表示させるようにしても良い。
【００４０】
エラーホルダ１２ａへ移動されたＭＸＦファイルは、ＣＭ素材入稿装置１２の削除部１２ｋが、定時処理で削除する。
【００４１】
ＣＭ管理システム４０は、ＣＭメタデータを送信する際に、受信サーバ２２と並行して営業放送システム２４にもＣＭメタデータを送信する。これによって、営業放送システム２４は、ＣＭ素材に対応するＣＭコードを把握する。
【００４２】
そして営業放送システム２４は、ＣＭの放映スケジュールに従って、ＣＭバンクシステム２６に対して、ファイリング指示データを送る。このファイリング指示データには、放映予定のＣＭ素材のＣＭコードが含まれる。
【００４３】
ＣＭバンクシステム２６は、営業放送システム２４からファイリング指示データが送られると、ファイリング指示データに含まれているＣＭコードに対応するＣＭ素材が、入稿ホルダ１２ｂとＣＭバンク２８にそれぞれ格納されているか否かをチェックする。
【００４４】
そして、もしもこのＣＭ素材が、入稿ホルダ１２ｂに格納されているものの、ＣＭバンク２８に格納されていない場合は、ＣＭバンクシステム２６は、入稿ホルダ１２ｂに格納されているこのＣＭ素材を、ＣＭバンク２８にコピーすることによって、ＣＭバンク２８に格納する。
【００４５】
一方、もしもこのＣＭ素材が、入稿ホルダ１２ｂにも、ＣＭバンク２８にも格納されていない場合は、ＣＭバンクシステム２６は、ＣＭ素材入稿装置１２に対して、入稿端末１４の表示画面１４ａからＣＭコードを表示するとともにアラームを通知するように指示する。このアラームによって、オペレータがＣＭ素材の入稿を早急に行うよう促される。
【００４６】
入稿ホルダ１２ｂに格納されたＣＭ素材が、ＣＭバンク２８にも格納されていることが確認できれば、入稿ホルダ１２ｂ自体は当該ＣＭ素材を格納し続ける必要はない。しかしながら、入稿ホルダ１２ｂにメモリ容量の余裕がある場合や、放送局における運用上の利便性を優先して、入稿ホルダ１２ｂが、ＣＭバンク２８に格納済みであるＣＭ素材を、引き続き格納できるような条件設定を施しても良い。
【００４７】
ただし、入稿ホルダ１２ｂのメモリ容量が少なくなった場合には、それに応じてＣＭ素材を削除する仕組みも必要となる。
【００４８】
そのために、ＣＭ素材入稿装置１２のチェック部１２ｍは、入稿ホルダ１２ｂのメモリ残量を定期的に（例えば１時間に１回）チェックする。そして、入稿ホルダ１２ｂのメモリ残量が例えば全容量の１０％以下になった場合には、表示制御部１２ｄが、ＣＭバンクシステム２６および入稿端末１４に対して、アラームを通知させる。
【００４９】
このアラームに応じて、オペレータが、入稿端末１４を操作し、入稿ホルダ１２ｂに格納されているＣＭ素材のリストを表示する。そして、オペレータの判断あるいは放送局内のルールに従って、メモリ残量が確保できるようになるまで、リスト表示されたＣＭ素材を順次、入稿ホルダ１２ｂから削除する。
【００５０】
あるいは、このようなオペレータによる手動操作の代わりに、削除部１２ｋが、予め定められたルールに従って（例えば、入稿ホルダ１２ｂに格納された日時が古い順に削除するように）、入稿ホルダ１２ｂに格納されているＣＭ素材を自動的に削除するようにしても良い。
【００５１】
なお、上記では、ＣＭ素材入稿装置１２の受取部１２ｃが、受信サーバ２２からＭＸＦファイルおよびＣＭメタデータを受け取る場合、受信サーバ２２からＰＵＳＨされるものとして説明した。しかしながら、受取部１２ｃが、受信サーバ２２からＭＸＦファイルおよびＣＭメタデータを受け取る方式は、受信サーバ２２からのＰＵＳＨに限定されず、受取部１２ｃが、受信サーバ２２に対してＰＵＬＬすることによっても可能である。
【００５２】
ＣＭ素材入稿装置１２は、受取部１２ｃが受信サーバ２２に対してＰＵＬＬすることによってＭＸＦファイルおよびＣＭメタデータを受け取る場合、比較部１２ｈが、ＣＭメタデータに含まれるＣＭコードをキー情報として前述したようなチェック処理を行う。そして、問題なくチェック処理がなされると、特定部１２ｉが、先ず、サイズの大きなＭＸＦファイルを先に保存し、その後、サイズの小さなＣＭメタデータを保存する。
【００５３】
次に、以上のように構成した本実施形態のＣＭ素材入稿方法が適用されたＣＭ素材入稿システム１０の動作を、図８乃至図１０に示すフローチャートを用いて説明する。
【００５４】
本実施形態のＣＭ素材入稿システム１０では、ＣＭ素材入稿装置１２において、ＣＭ素材の入稿処理がなされる。
【００５５】
そのためには、先ず、ＣＭ素材入稿装置１２に、１つまたは複数のＣＭ素材を含むＭＸＦファイルと、ＣＭ素材に対応するＣＭメタデータとが入力される（Ｓ１）。
【００５６】
ＭＸＦファイルは、ＣＭ管理システム４０からオンラインで送信されるか、または、広告制作業者等から、Ａ媒体５０、Ｂ媒体５２、またはＣ媒体５４等のメディアの形態で持ち込まれる。
【００５７】
ＭＸＦファイルがオンラインで送信される場合、ＣＭ管理システム４０からＭＸＦファイルが送信され、受信サーバ２２によって受信され、受信サーバ２２からさらにＣＭ素材入稿装置１２へ入力される。
【００５８】
一方、ＭＸＦファイルがメディアの形態で搬入された場合、入稿端末１４のドライブにおいて、これら媒体からＭＸＦファイルが読み取られ、入稿端末１４からＣＭ素材入稿装置１２へ入力される。
【００５９】
ＣＭ素材入稿装置１２にＣＭメタデータが入力されると、図３に例示されるように、ＣＭメタデータの内容が、入稿端末１４の表示画面１４ａから表示される。
【００６０】
ＣＭ素材入稿装置１２では、確認部１２ｅにおいて、ＣＭメタデータに含まれるＣＭコードがキー情報として用いられ、キー情報に対応するＣＭ素材が、真正なものであるか否かが確認される（Ｓ２）。
【００６１】
この確認処理では、確認部１２ｅにおいて、ＭＸＦファイルの中に「ＣＭ素材搬入基準」で定められた必須のデータ項目が含まれているか、さらには、各データ項目のフォーマットが正しいかなどがチェックされる。
【００６２】
また、確認部１２ｅにおいて、ＣＭメタデータの中に、「ＣＭ素材搬入基準」で定められた必須のデータ項目が含まれているか、さらには、各データ項目のフォーマットが正しいかなどがチェックされる。
【００６３】
これらチェックの何れかに問題がある場合（Ｓ３：Ｙｅｓ）には、入稿端末１４の表示画面１４ａから、例えば、データ項目ラベルが赤でハイライト表示されるとともに、正しいフォーマットがツールチップで表示される（Ｓ４）。これによって、オペレータは、ＭＸＦファイルおよび／またはＣＭメタデータに問題や不備があることを把握することができる。そして、オペレータは、正常なＣＭメタデータの入手を手配する。
【００６４】
一方、これらチェックに問題がない場合（Ｓ３：Ｎｏ）には、ＣＭ素材入稿装置１２のＣＭ素材取得部１２ｆでは、ＣＭメタデータに含まれるＣＭコードがキー情報とされ、ＭＸＦファイルから、対応するＣＭ素材が取得される（Ｓ５）。
【００６５】
さらに、ＣＭ素材入稿装置１２のクレジット生成部１２ｇにおいて、このＣＭ素材のクレジットも生成される（Ｓ６）。生成されたクレジットは、図５に例示されるように、入稿端末１４の表示画面１４ａから表示される。
【００６６】
ＣＭ素材入稿装置１２の比較部ｈでは、図５に示されるような情報の集合であるクレジットが、ＣＭメタデータのメタ情報と比較され、クレジットとＣＭメタデータのメタ情報が一致しているか否かが判定される（Ｓ７）。この比較は、クレジットおよびＣＭメタデータの各項目のデータの比較によって実施される。
【００６７】
クレジットとＣＭメタデータのメタ情報の一致が確認された場合（Ｓ７：Ｙｅｓ）、特定部１２ｉと抽出部１２ｊとが協働することにより、ＭＸＦファイルから、このＣＭ素材の切り出し処理が開始される。
【００６８】
この切り出し処理では、先ず、特定部１２ｉによって、ＣＭメタデータのスタートＴＣ（図３参照）が参照されることによって、このＣＭ素材のＭＸＦファイル１００における開始点Ａが把握される（Ｓ８）。
【００６９】
次に、抽出部１２ｊによって、図７に示すように、ＭＸＦファイル１００から、開始点Ａの１５Ｆ前から、ＣＭ素材１０２の終了点Ｂの１５Ｆ後までの範囲が切り出される（Ｓ９）。開始点Ａより前の１５Ｆは、リーダとして、終了点Ｂより後の１５Ｆはトレーラとして用いられる。
【００７０】
さらに、抽出部１２ｊによって、開始点Ａの１５秒前から３秒前までの間に、クレジットが埋め込まれる（Ｓ１０）。
【００７１】
これによって、ＣＭ素材１０２の切り出し処理が完了し、切り出されたＣＭ素材１０２が、入稿ホルダ１２ｂに格納される（Ｓ１１）。
【００７２】
一方、クレジットとＣＭメタデータとの内容とが一致していない場合（Ｓ７：Ｎｏ）には、比較部１２ｈによって、ＭＸＦファイルが異常であると判定され（Ｓ２１）、ＭＸＦファイルが、エラーホルダ１２ａへ移動される（Ｓ２２）。さらには、入稿端末１４の表示画面１４ａからの表示や、音声出力によって、オペレータに対してアラーム通知がなされる（Ｓ２３）。
【００７３】
エラーホルダ１２ａへ移動されたＭＸＦファイルは、削除部１２ｋによって、定時処理で削除される（Ｓ２４）。
【００７４】
入稿ホルダ１２ｂに格納されたＣＭ素材１０２は、ＣＭの放映スケジュールに従って営業放送システム２４から送られたファイリング指示データに応じて、ＣＭバンクシステム２６によってＣＭバンク２８に格納される（Ｓ１２）。
【００７５】
具体的には、ＣＭバンクシステム２６では、営業放送システム２４からファイリング指示データが送られると、ファイリング指示データに含まれているＣＭコードに対応するＣＭ素材が、入稿ホルダ１２ｂとＣＭバンク２８にそれぞれ格納されているか否かがチェックされる。
【００７６】
入稿ホルダ１２ｂの空き容量は、１時間に１回、チェック部１２ｍによってチェックされる（Ｓ１３）。
【００７７】
そして、入稿ホルダ１２ｂの空き容量が１０％以下になった場合（Ｓ１４：Ｙｅｓ）には、ＣＭバンクシステム２６および入稿端末１４に対して、アラームが通知される（Ｓ１５）。
【００７８】
一方、入稿ホルダ１２ｂの空き容量が１０％以下ではない場合（Ｓ１４：Ｎｏ）には、ステップＳ１３に戻る。
【００７９】
このアラームに応じて、オペレータが入稿端末１４を操作することによって手動操作で、あるいは、削除部１２ｋによって自動的に、入稿ホルダ１２ｂからＣＭ素材が削除される（Ｓ１６）。
【００８０】
上述したように、本実施形態のＣＭ素材入稿方法が適用されたＣＭ素材入稿システム１０によれば、上記のような作用により、ＣＭメタデータに含まれるＣＭコードに対応するＣＭ素材を、ＭＸＦファイルから自動的に切り出すことができる。
【００８１】
しかも、この切り出し処理を行う前には、ＣＭメタデータおよびＭＸＦファイルおのおのの真正を確認することができる。さらには、ＣＭコードをキー情報として、ＣＭメタデータとＣＭ素材との関連性の真正についても確認することができる。したがって、正しいＣＭ素材のみを確実に切り出すことができる。
【００８２】
また、これら確認処理において問題があった場合には、その内容を、入稿端末１４からアラーム表示することができる。よって、オペレータは、ＣＭメタデータおよび／またはＭＸＦファイルに異常があることを把握できるのみならず、どこに問題があるのかも具体的に把握することができ、早急な対応が可能となる。
【００８３】
前述した切り出し処理によって入稿ホルダ１２ｂに格納されたＣＭ素材は、ＣＭバンクシステム２６によって適切にＣＭバンク２８に格納され、放送のために用いられる。
【００８４】
また、入稿ホルダ１２ｂの空き容量は、定期的にチェックされ、そのチェック結果に応じて、手動であるいは自動的にＣＭ素材を適切に削除するよう促すことができる。
【００８５】
このように、本実施形態のＣＭ素材入稿方法が適用されたＣＭ素材入稿システム１０によれば、ＭＸＦファイルに記録されたＣＭ素材の効率的な入稿処理を実現することが可能となる。
【００８６】
（第２の実施形態）
第２の実施形態のＣＭ素材入稿方法が適用されたＣＭ素材入稿システムは、第１の実施形態のＣＭ素材入稿方法が適用されたＣＭ素材入稿システム１０に対して追加された機能を有する。したがって、以下では、同一部位については、同一符号を付すことによって、重複説明を避け、第１の実施形態に対して追加される点について説明する。
【００８７】
第１の実施形態のＣＭ素材入稿システム１０は、スポンサーが付いているコマーシャル用のＣＭ素材を取り扱うことを想定している。そのため、図３に示すＣＭメタデータのメタ情報でも、図５に示すクレジットでも、「素材広告主名」に、広告主が記載されている。
【００８８】
しかしながら、ＣＭ素材には、例えば放送局自身の番組宣伝（以下、「番宣」と称する）のためのＣＭ素材のように、スポンサーが付いていないコマーシャル用のものも存在する。
【００８９】
番宣は、スポンサーが付いておらず、放送局内でクローズするＣＭであることから、ＣＭ管理システム４０から、番宣用のＣＭ素材（以下、「番宣用ＣＭ素材」と称する）に対応するＣＭメタデータは提供されない。
【００９０】
したがって、従来、番宣用ＣＭ素材の入稿処理の際には、入稿端末１４から入力されるＭＸＦファイルから、ＣＭメタデータの有無とは無関係に番宣用ＣＭ素材が切り出されている。
【００９１】
しかしながら、ＣＭメタデータが存在しないと、ＭＸＦファイルのどの開始点にどの番宣用Ｍ素材が記録されているのか正確に把握することができない。このため、従来は、オペレータが、入稿端末１４を操作し、ＭＸＦファイルに記録されている番宣用ＣＭ素材の開始点Ａを、プレビュー等によって突き止めたうえで、番宣用ＣＭ素材の切り出しがなされている。このように、従来、番宣用ＣＭ素材の入稿処理は自動化されていない。
【００９２】
本実施形態のＣＭ素材入稿方法が適用されたＣＭ素材入稿システムは、第１の実施形態のＣＭ素材入稿システム１０のように、スポンサーが付いているＣＭ素材を効率的に入稿処理できるのみならず、スポンサーが付いていない番宣用ＣＭ素材に対しても同様に効率的に入稿処理できるようにしたものである。
【００９３】
なお、以降の説明では、第１の実施形態で説明したようにスポンサーが付いているＣＭ素材を、番宣用ＣＭ素材と区別するために、便宜的に「非番宣用ＣＭ素材」と称するものとする。
【００９４】
図１に示すＣＭ素材入稿システム１０によって、番宣用ＣＭ素材に対しても、自動的に入稿処理をできるようにするために、番宣用ＣＭ素材の作成に伴いこの番宣用ＣＭ素材に対応するＣＭコードを決定する。そして、決定されたＣＭコードに、番宣用ＣＭ素材を関連付けて、ＭＸＦファイルに記録する。
【００９５】
ＣＭ素材入稿システム１０ではさらに、番宣用ＣＭ素材に対応するＣＭメタデータをも作成し、決定されたＣＭコードを、このＣＭメタデータにも含める。さらに、ＣＭメタデータには、番宣用ＣＭ素材がＭＸＦファイルに記録された開始点Ａを示すスタートＴＣをも記録する。
【００９６】
ここで、番宣用ＣＭ素材のためのＣＭコードは、ＣＭ管理システム４０から通知される非番宣用ＣＭ素材のためのＣＭコードと区別可能な番号体系とする。前述したように、ＣＭ管理システム４０から通知されるＣＭコードは、先頭からの４桁も、残りの６桁も、数字のみ、アルファベット大文字のみ、または数字とアルファベット大文字の組み合せ（何れも半角）によって構成される。したがって、例えば、番宣用ＣＭ素材用のＣＭコードには、アルファベット大文字を用いず、かつ、少なくともアルファベット小文字を含めるようにする。このようにすれば、アルファベット小文字が含まれているＣＭコードは、番宣用ＣＭ素材用のものであると視覚的にも容易に把握することができる。
【００９７】
図１１は、番宣用ＣＭ素材用のＣＭメタデータのメタ情報が、入稿端末１４の表示画面１４ａから表示された表示例を示す図である。番宣用ＣＭ素材には、スポンサーが付いていないので、図３における「素材広告主名」の項目が存在していない。それ以外の項目は、図３と同じであり、ＣＭコードおよびスタートＴＣの他に、ＣＭ素材名、秒数、音声種別、制作広告会社、制作会社等を含んでいる。なお、番宣用ＣＭ素材が放送局内でクローズするものであることを考慮すれば、ＣＭ素材名、秒数、音声種別、制作広告会社、制作会社といった項目は必ずしも設ける必要はない。よって、ＣＭメタデータは、少なくとも、ＣＭコードとスタートＴＣおよび秒数を含んでいれば良い。
【００９８】
ＭＸＦファイルおよびＣＭメタデータのＣＭ素材入稿装置１２への入力は、オペレータが入稿端末１４を操作することにのみによってなされ、受信サーバ２２を介してなされることはない。
【００９９】
入稿端末１４は、オペレータ操作によって入力されたＭＸＦファイルおよびＣＭメタデータを、ＣＭ素材入稿装置１２へ入力する。
【０１００】
ＣＭ素材入稿装置１２は、ＭＸＦファイルおよびＣＭメタデータを受取部１２ｃにおいて受け取る。そして、ＣＭ素材取得部１２ｆが、ＣＭメタデータに含まれるＣＭコードをキー情報として用い、１つまたは複数の番宣用ＣＭ素材が含まれているＭＸＦファイルから、キー情報に対応する番宣用ＣＭ素材を取得する。
【０１０１】
ＣＭ素材入稿装置１２はさらに、クレジット生成部１２ｇにおいて、この番宣用ＣＭ素材のクレジットを生成し、比較部１２ｈが、クレジットとＣＭメタデータのメタ情報とを比較する。そして、クレジットとＣＭメタデータのメタ情報が一致しているか否かを判定する。クレジットとＣＭメタデータのメタ情報が一致している場合には、比較部１２ｈは、この番宣用ＣＭ素材が、ＣＭメタデータに対応した真正なものであると判定する。
【０１０２】
このようにしてクレジットとＣＭメタデータのメタ情報の一致が確認されると、特定部１２ｉと抽出部１２ｊとが協働することにより、ＭＸＦファイルから、この番宣用ＣＭ素材を切り出すことによって、この番宣用ＣＭ素材を抽出する。
【０１０３】
この切り出し処理は、第１の実施形態において図６を用いて説明したように、特定部１２ｉが、ＣＭメタデータのスタートＴＣを参照することにより、ＭＸＦファイルにおける番宣用ＣＭ素材の開始点Ａを把握する。次に、第１の実施形態において図７を用いて説明したように、抽出部１２ｊが、ＭＸＦファイル１００から、開始点Ａの１５フレーム（１５Ｆ）前から、ＣＭ素材１０２の終了点Ｂの１５Ｆ後までの範囲を切り出す。開始点Ａより前の１５Ｆはリーダとして、また、終了点Ｂより後の１５Ｆはトレーラとして用いられる。抽出部１２ｊはさらに、開始点Ａの１５秒前から３秒前までの間に、クレジットを表示する。
【０１０４】
これによって、番宣用ＣＭ素材の切り出し処理が完了し、入稿ホルダ１２ｂが、切り出された番宣用ＣＭ素材を格納する。このように入稿ホルダｂに格納された番宣用ＣＭ素材もまた、第１の実施形態において入稿ホルダ１２ｂに格納された非番宣用ＣＭ素材のように、ＣＭバンクシステム２６によって、ＣＭバンク２８に格納され、放映のために利用される。
【０１０５】
一方、クレジットとＣＭメタデータとの内容とが一致していない場合には、比較部１２ｈは、ＭＸＦファイルが異常であると判定し、ＭＸＦファイルをエラーホルダ１２ａへ移動するとともに、表示制御部１２ｄが、入稿端末１４からの画面表示や音声出力等によって、オペレータに対してアラーム通知する。
【０１０６】
エラーホルダ１２ａへ移動されたＭＸＦファイルは、ＣＭ素材入稿装置１２の削除部１２ｋが、定時処理で削除する。
【０１０７】
入稿ホルダ１２ｂに格納された番宣用ＣＭ素材もまた、第１の実施形態で説明した非番宣用ＣＭ素材のように、ＣＭバンク２８に格納された後、入稿ホルダ１２ｂから削除される。
【０１０８】
この削除は、第１の実施形態で説明したようにオペレータによる手動操作によって、または、削除部１２ｋが、予め定められたルールに従って自動的に行うようにしても良い。
【０１０９】
予め定められたルールとして、本実施形態では、入稿ホルダ１２ｂに格納されたＣＭ素材が、番宣用ＣＭ素材であるか、非番宣用ＣＭ素材であるかを考慮する。例えば、入稿ホルダ１２ｂに、番宣用ＣＭ素材と、非番宣用ＣＭ素材との両方が格納されている場合、番宣用ＣＭ素材を優先的に削除しても良い。
【０１１０】
前述したように、番宣用ＣＭ素材のＣＭコードは、非番宣用ＣＭ素材のＣＭコードと区別可能な番号体系となっている。したがって、ＣＭ素材入稿装置１２は、入稿ホルダ１２ｂに格納されているＣＭ素材が、番宣用ＣＭ素材であるのか、非番宣用ＣＭ素材であるのかを区別できるので、番宣用ＣＭ素材のみを抽出し削除することができる。
【０１１１】
さらには、複数の番宣用ＣＭ素材が格納されている場合には、番宣用ＣＭ素材のうち、入稿ホルダ１２ｂに格納された日時が古い順に削除するなど、ＣＭ素材の種類と、日時情報とを適宜組み合わせたルールを適用するようにしても良い。
【０１１２】
次に、以上のように構成した本実施形態のＣＭ素材入稿システム１０の特徴的な動作を、図１２および図１３に示すフローチャートを用いて説明する。なお、前述したように、本実施形態は、第１の実施形態に対する追加であるので、図１２および図１３のフローチャートに、図８乃至図１０のフローチャートの処理が適宜追加される。
【０１１３】
本実施形態のＣＭ素材入稿方法が適用されたＣＭ素材入稿システム１０では、番宣用ＣＭ素材に対しても、効率的な入稿処理を実現するために、番宣用ＣＭ素材に対応するＣＭコードのみならず、番宣用ＣＭ素材に対応するＣＭコードも必要とされる。
【０１１４】
ただし、番宣用ＣＭ素材のためのＣＭコードは、ＣＭ管理システム４０から通知される非番宣用ＣＭ素材のためのＣＭコードと区別可能な番号体系とされる。
【０１１５】
したがって、番宣用ＣＭ素材を制作した放送局等によって、番宣用ＣＭ素材が制作されると、番宣用ＣＭ素材に対応するＣＭコードも決定される。さらに、当該放送局等によって、このＣＭコードに、番宣用ＣＭ素材が関連付けられて、ＭＸＦファイルに記録される。
【０１１６】
さらには、番宣用ＣＭ素材に対応するＣＭメタデータが作成され、このＣＭメタデータにも、番宣用ＣＭ素材に対応するＣＭコードが含められる。
【０１１７】
また、ＣＭメタデータには、非番宣用ＣＭ素材に対してなされているのと同様に、ＭＸＦファイルにおける番宣用ＣＭ素材の開始点Ａを示すスタートＴＣも記録されている。
【０１１８】
番宣用ＣＭ素材にはスポンサーが付いていないので、番宣用ＣＭ素材用のＣＭメタデータは、図１１に例示されるように、非番宣用ＣＭ素材用のＣＭメタデータに存在する「素材広告主名」の項目が存在していない。それ以外の項目は、非番宣用ＣＭ素材用のＣＭメタデータのメタ情報と同じである。
【０１１９】
なお、番宣用ＣＭ素材が放送局内でクローズするものであることを考慮すれば、ＣＭメタデータは、少なくとも、ＣＭコードとスタートＴＣおよび秒数を含んでいれば、その他のＣＭ素材名、音声種別、制作広告会社、制作会社といった項目を省略しても良い。
【０１２０】
ＭＸＦファイルおよびＣＭメタデータのＣＭ素材入稿装置１２への入力は、オペレータが入稿端末１４を操作することにのみによってなされ、受信サーバ２２を介してなされることはない。
【０１２１】
前述したように放送局等によって作成されたＭＸＦファイルおよびＣＭメタデータは、オペレータ操作によって、入稿端末１４から、ＣＭ素材入稿装置１２へ入力される（Ｓ３１）。
【０１２２】
ＣＭ素材入稿装置１２では、ＭＸＦファイルおよびＣＭメタデータが、受取部１２ｃにおいて受け取られる。そして、ＣＭ素材取得部１２ｆにおいて、ＣＭメタデータに含まれるＣＭコードがキー情報として用いられ、１つまたは複数の番宣用ＣＭ素材が含まれているＭＸＦファイルから、キー情報に対応する番宣用ＣＭ素材が取得される（Ｓ３２）。
【０１２３】
ＣＭ素材入稿装置１２ではさらに、クレジット生成部１２ｇにおいて、番宣用ＣＭ素材のクレジットが生成され、比較部１２ｈにおいて、クレジットとＣＭメタデータのメタ情報とが比較され、クレジットとＣＭメタデータのメタ情報が一致しているか否かが判定される（Ｓ３３）。
【０１２４】
クレジットとＣＭメタデータの内容が一致している場合（Ｓ３３：Ｙｅｓ）には、比較部１２ｈによって、番宣用ＣＭ素材が、ＣＭメタデータに対応した真正なものであると判定される（Ｓ３４）。そして、特定部１２ｉと抽出部１２ｊとが協働することにより、ＭＸＦファイルから、番宣用ＣＭ素材を切り出す処理がなされる。
【０１２５】
この切り出し処理では、特定部１２ｉによって、ＣＭメタデータのスタートＴＣが参照されることにより、ＭＸＦファイルにおける番宣用ＣＭ素材の開始点Ａが把握される（Ｓ３５）。
【０１２６】
次に、第１の実施形態において図７を用いて説明されたように、抽出部１２ｊによって、ＭＸＦファイル１００から、開始点Ａの１５フレーム（１５Ｆ）前から、ＣＭ素材１０２の終了点Ｂの１５Ｆ後までの範囲が切り出される。開始点Ａより前の１５Ｆはリーダとして、また、終了点Ｂより後の１５Ｆはトレーラとして用いられる（Ｓ３６）、さらに、抽出部１２ｉによって、開始点Ａの１５秒前から３秒前までの間に、クレジットを表示する（Ｓ３７）。
【０１２７】
これによって、番宣用ＣＭ素材の切り出し処理が完了し、切り出された番宣用ＣＭ素材が、入稿ホルダ１２ｂに格納される（Ｓ３８）。
【０１２８】
このように入稿ホルダ１２ｂに格納された番宣用ＣＭ素材もまた、第１の実施形態において入稿ホルダ１２ｂに格納された非番宣用ＣＭ素材のように、ＣＭバンクシステム２６によって、ＣＭバンク２８に格納され、放映のために利用される（Ｓ３９）。
【０１２９】
一方、クレジットとＣＭメタデータとの内容とが一致していない場合（Ｓ３３：Ｎｏ）には、比較部１２ｈにおいて、ＭＸＦファイルが異常であると判定され（Ｓ５１）、ＭＸＦファイルは、エラーホルダ１２ａへと移動される（Ｓ５２）。
【０１３０】
それとともに、入稿端末１４から、画面表示や音声出力等によって、オペレータに対してアラーム通知がなされる（Ｓ５３）。
【０１３１】
エラーホルダ１２ａへ移動されたＭＸＦファイルは、ＣＭ素材入稿装置１２の削除部１２ｋによって、定時処理で削除される（Ｓ５４）。
【０１３２】
入稿ホルダ１２ｂに格納された番宣用ＣＭ素材は、ＣＭバンク２８に格納された後は、第１の実施形態で説明したようにオペレータによる手動操作によって、または、予め定められたルールに従って削除部１２ｋによって自動的に削除される。
【０１３３】
予め定められたルールとして、本実施形態では、入稿ホルダ１２ｂに格納されたＣＭ素材が、番宣用ＣＭ素材であるか、非番宣用ＣＭ素材であるかを考慮する。例えば、入稿ホルダ１２ｂに、番宣用ＣＭ素材と、非番宣用ＣＭ素材との両方が格納されている場合、番宣用ＣＭ素材を優先的に削除するようにしても良い。
【０１３４】
なお、このためには、入稿ホルダ１２ｂに格納されたＣＭ素材が、番宣用ＣＭ素材であるか、非番宣用ＣＭ素材であるかを識別する必要があるが、前述したように、番宣用ＣＭ素材のＣＭコードは、非番宣用ＣＭ素材のＣＭコードと区別可能な番号体系となっている。したがって、入稿ホルダ１２ｂに格納されているＣＭ素材が、番宣用ＣＭ素材であるのか、非番宣用ＣＭ素材であるのかが、ＣＭ素材入稿装置１２によって区別されるので、番宣用ＣＭ素材のみが抽出され削除される。
【０１３５】
上述したように、本実施形態のＣＭ素材入稿方法が適用されたＣＭ素材入稿システム１０によれば、番宣用ＣＭ素材と、非番宣用ＣＭ素材とを区別しながら、番宣用ＣＭ素材も、非番宣用ＣＭ素材と同様に取り扱うことができる。したがって、第１の実施形態のＣＭ素材入稿システム１０で奏された作用効果を、番宣用ＣＭ素材を取り扱う場合であっても奏することができる。
【０１３６】
したがって、本実施形態のＣＭ素材入稿方法が適用されたＣＭ素材入稿システム１０によれば、ＭＸＦファイルに記録されたＣＭ素材が、番宣用ＣＭ素材であるか非番宣用ＣＭ素材であるかに関わらず、第１の実施形態と同様な効率的な入稿処理を実現することが可能となる。
【０１３７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３８】
１０  ＣＭ素材入稿システム、１２  ＣＭ素材入稿装置、１２ａ  エラーホルダ、１２ｂ  入稿ホルダ、１２ｃ  受取部、１２ｄ  表示制御部、１２ｅ  確認部、１２ｆ  ＣＭ素材取得部、１２ｇ  クレジット生成部、１２ｈ  比較部、１２ｉ  特定部、１２ｊ  抽出部、１２ｋ  削除部、１２ｍ  チェック部、１４  入稿端末、１４ａ  表示画面、２０  放送局システム、２２  受信サーバ、２４  営業放送システム、２６  ＣＭバンクシステム、２８  ＣＭバンク、３０  通信ネットワーク、４０  ＣＭ管理システム、５０  ＸＤＣＡＭ媒体、５２  ＧＦ媒体、５４  Ｐ２媒体、１００  ＭＸＦファイル、１０２  ＣＭ素材、１０４  ＣＭ素材、１０６  ＣＭ素材
【図１】
0006584967.tif 000002
【図２】
0006584967.tif 000003
【図３】
0006584967.tif 000004
【図４】
0006584967.tif 000005
【図５】
0006584967.tif 000006
【図６】
0006584967.tif 000007
【図７】
0006584967.tif 000008
【図８】
0006584967.tif 000009
【図９】
0006584967.tif 000010
【図１０】
0006584967.tif 000011
【図１１】
0006584967.tif 000012
【図１２】
0006584967.tif 000013
【図１３】
0006584967.tif 000014